(57)【要約】【課題】コンクリートの床を形成するための型枠のうち床型枠に仮固定した排水用ドレインがコンクリートを打設するときにスペーサを中心に回転して所定の向きに埋設されないことのないようにする。【解決手段】建築物の屋上やバルコニー等の床をコンクリートにより形成するための型枠のうち床型枠Ｆに仮固定された排水用ドレイン１０を所定位置に保持する保持装置３０は、排水用ドレイン１０の受皿部１１の下面に床型枠Ｆに向けて取り付けられたねじ部材３１と、このねじ部材３１の下端と螺合して取り付けられて床型枠Ｆと当接する保持部材３２とを備え、この保持部材３２の下端面には床型枠Ｆに設けられた貫通穴Ｆａと係合可能な棒状突起部３３を設けるとともに、保持部材３２はコンクリートが固化したときに剥離可能とする。【選択図】図１
2009235727.tif 000002
【特許請求の範囲】
【請求項１】
建築物の屋上やバルコニー等のコンクリートよりなる床に埋設されて前記床に降った雨水等を受皿部に流入させる排水用ドレインを同コンクリートを形成するための型枠のうち底部に配置された床型枠に締結具により仮固定した所定位置から移動しないように保持する保持装置であって、
この保持装置は、前記排水用ドレインの受皿部の下面に前記床型枠に向けて取り付けられたねじ部材と、このねじ部材の下端と螺合して取り付けられて前記床型枠と当接する保持部材とを備え、この保持部材の下端面には前記床型枠に設けられた穴部と係合可能な突起部を設けるとともに、前記保持部材は前記コンクリートが固化したときに剥離可能であることを特徴とする排水用ドレインの保持装置。
【請求項２】
建築物の屋上やバルコニー等のコンクリートよりなる床とそれから上方に延びる側壁との間の角部に埋設されて前記床に埋設される水平部とこの水平部の後端から略垂直に立設して前記側壁に埋設される垂直部とからなる受皿部に前記床に降った雨水等を流入させ前記垂直部に設けた排水口から後方に排水する排水用ドレインを同コンクリートを形成するための型枠のうち略垂直に立設する側壁型枠に締結具により仮固定した所定位置から移動しないように保持する保持装置であって、
この保持装置は、前記排水用ドレインの受皿部の水平部の下面に前記型枠のうち底部に設置した床型枠に向けて取り付けられたねじ部材と、このねじ部材の下端と螺合して取り付けられて前記床型枠と当接する保持部材とを備え、この保持部材の下端面には前記床型枠に設けられた穴部と係合可能な突起部を設けるとともに、前記保持部材は前記コンクリートが固化したときに剥離可能であることを特徴とする排水用ドレインの保持装置。
【請求項３】
前記保持部材は、前記排水用ドレイン側に細くなるように略円錐台形状であることを特徴とする請求項１または請求項２に記載の排水用ドレインの保持装置。
【発明の詳細な説明】
【技術分野】
【０００１】
本発明は、排水用ドレインをコンクリートを形成するための型枠に仮固定した所定位置から移動しないように保持する排水用ドレインの保持装置に関するものである。
【背景技術】
【０００２】
排水用ドレインは、建築物の屋上やバルコニー等のコンクリートよりなる床に埋設され、同床に降った雨水等を排水するものである。排水用ドレインの一例として、床に降った雨水を受皿部により受けて、受皿部の下方に連成した排水管部により下方に排水する縦引き排水用ドレインがある。このような縦引き排水用ドレインをコンクリートに埋設して固定するときには、コンクリートが固化するまでコンクリートを打設するために設置された型枠のうち底部に配置した床型枠に一時的に固定している。縦引き排水用ドレインを床型枠に一時的に固定するときには、床型枠上の所定位置に筒状のスペーサとともに排水用ドレインを載置し、ボルトとナット等の締結具により床型枠に締結して排水用ドレインを床型枠上に押さえつけて仮固定している。
【０００３】
このように仮固定した縦引き排水用ドレインでは、仮固定した縦引き排水用ドレインの受皿部の端部を作業員が踏み付ける等して、縦引き排水用ドレインが傾くことのないようにする排水用ドレインの保持装置が特許文献１に開示されている。この排水用ドレインの保持装置は、受皿部の下面に取り付けたねじ部材の下端部に上下方向に進退可能なねじ筒を螺合させ、ねじ筒の下端に取り付けたフランジを床型枠に当接させることで縦引き排水用ドレインの受皿部を支持して作業員が受皿部の端部を踏み付けても縦引き排水用ドレインが上下方向に傾くことのないようにしている。
【０００４】
また、排水用ドレインには、コンクリートよりなる床とそれから上方に延びる側壁との間の角部に埋設され、床に埋設される水平部とこの水平部の後端から略垂直に立設して側壁に埋設される垂直部とからなる受皿部に雨水を流入させて垂直部に設けた排水口から後方に排水する横引き排水用ドレインがある。このような横引き排水用ドレインをコンクリートに埋設して固定するときには、コンクリートが固化するまでコンクリートを打設するために設置された型枠のうち略垂直に立設する側壁型枠に一時的に固定している。横引き排水用ドレインを側壁型枠に一時的に固定するときには、側壁型枠の側面の所定位置に筒状のスペーサとともに横引き排水用ドレインを押しつけ、これをボルトとナット等の締結具により側壁型枠に締結して横引き排水用ドレインを側壁型枠に押さえつけて仮固定している。
【０００５】
このように仮固定した横引き排水用ドレインでは、作業員が仮固定した横引き排水用ドレインの受皿部の水平部の前端部または側端部を踏み付ける等して、横引き排水用ドレインの受皿部の水平部が前後方向及び横方向に傾くことのないようにする排水用ドレインの保持装置が特許文献２に開示されている。この排水用ドレインの保持装置は、受皿部の水平部の下面に取り付けたねじ部材の下端部に上下方向に進退可能なねじ筒を螺合させ、ねじ筒の下端に取り付けたフランジを床型枠に当接させることで横引き排水用ドレインの受皿部を支持して作業員が受皿部の水平部の端部を踏み付けても横引き排水用ドレインの受皿部の水平部が前後方向及び横方向に傾くことのないようにしている。
【特許文献１】特許第３９２０６１７号公報
【特許文献２】特許第３７６２２３８号公報
【発明の開示】
【発明が解決しようとする課題】
【０００６】
上記の特許文献１の排水用ドレンの保持装置は、縦引き排水用ドレインが上下方向に傾くことがないが、コンクリートを打設するときにコンクリート内の気泡を抜くためのバイブレータによる振動で、排水用ドレインがスペーサを中心に回転することがあった。排水用ドレインの受皿部が矩形状をしてその長手方向を床に形成された長い排水溝に平行に埋設させるときには、排水用ドレインが回転して平行に埋設できない問題があった。
【０００７】
また、コンクリートの表面に仕上げ材を付さない打ちっぱなしとするときに上記の排水用ドレインの保持装置を用いたときには、型枠を取り外したときにコンクリートの表面にフランジ部が露出して見栄えが悪くなることがあった。さらに、フランジ部に鉄製のものを用いたときには、雨水等によりフランジ部とともにねじ筒及びねじ部材が錆びてコンクリートにクラックが発生することがあった。
【０００８】
また、上記の特許文献２の排水用ドレインの保持装置でも、上述したのと同様にコンクリートの表面に仕上げ材を付さない打ちっぱなしとするときには、上述したのと同様に、型枠を取り外したときにコンクリートの表面にフランジ部が露出して見栄えが悪くなるとともに、フランジ部に鉄製のものを用いたときには、雨水等によりフランジ部とともにねじ筒及びねじ部材が錆びてコンクリートにクラックが発生することがあった、本発明は、これらの各問題を解決することを目的とする。
【課題を解決するための手段】
【０００９】
本発明は上記課題を解決するため、建築物の屋上やバルコニー等のコンクリートよりなる床に埋設されて床に降った雨水等を受皿部に流入させる排水用ドレインを同コンクリートを形成するための型枠のうち底部に配置された床型枠に締結具により仮固定した所定位置から移動しないように保持する保持装置であって、この保持装置は、排水用ドレインの受皿部の下面に床型枠に向けて取り付けられたねじ部材と、このねじ部材の下端と螺合して取り付けられて床型枠と当接する保持部材とを備え、この保持部材の下端面には床型枠に設けられた穴部と係合可能な突起部を設けるとともに、保持部材はコンクリートが固化したときに剥離可能であることを特徴とする排水用ドレインの保持装置を提供するものである。
【００１０】
上記のように構成した排水用ドレインの保持装置によれば、排水用ドレインが床型枠に仮固定されているときに、保持部材が床型枠に当接することで排水用ドレインの受皿部が所定の高さ位置に保持されるばかりでなく、突起部が床型枠に設けた穴部に係合することで排水用ドレインが水平方向に回転移動しないよう所定の位置に保持されるので、排水用ドレインを床型枠上で上下方向のみでなく水平方向の回転方向にも正確に保持した上でコンクリートに埋設固定することができる。また、保持部材はコンクリートが固化したときに剥離可能であるので、コンクリートが固化して型枠を取り外した後には、保持部材をねじ部材から取り外しながらコンクリート内から取り出すことができてコンクリートの表面に保持部材及び突起部が露出することがない。なお、保持部材を取り出した後にできるコンクリートの表面の凹部にはモルタル等により容易に穴埋めすることにより見栄えが悪くなることがない。
【００１１】
また、本発明は上記課題を解決するために、建築物の屋上やバルコニー等のコンクリートよりなる床とそれから上方に延びる側壁との間の角部に埋設されて床に埋設される水平部とこの水平部の後端から略垂直に立設して側壁に埋設される垂直部とからなる受皿部に床に降った雨水等を流入させ垂直部に設けた排水口から後方に排水する排水用ドレインを同コンクリートを形成するための型枠のうち略垂直に立設する側壁型枠に締結具により仮固定した所定位置から移動しないように保持する保持装置であって、この保持装置は、排水用ドレインの受皿部の水平部の下面に型枠のうち底部に設置した床型枠に向けて取り付けられたねじ部材と、このねじ部材の下端と螺合して取り付けられて床型枠と当接する保持部材とを備え、この保持部材の下端面には床型枠に設けられた穴部と係合可能な突起部を設けるとともに、保持部材はコンクリートが固化したときに剥離可能であることを特徴とする排水用ドレインの保持装置を提供するものである。
【００１２】
上記のように構成した排水用ドレインの保持装置によれば、排水用ドレインが側壁型枠に仮固定されているときには、保持部材が床型枠に当接することで排水用ドレインの受皿部の水平部が所定の高さ位置に保持されて前後方向または横方向に傾くことがなく保持されるので、排水用ドレインを側壁型枠に対して正確に保持したうえでコンクリートに埋設固定することができる。また、保持部材はコンクリートが固化したときに剥離可能であるので、コンクリートが固化して型枠を取り外した後には、保持部材をねじ部材から取り外しながらコンクリート内から取り出すことができてコンクリートの表面に保持部材及び突起部が露出することがない。なお、保持部材を取り出した後にできるコンクリートの表面の凹部にはモルタル等により容易に穴埋めすることにより見栄えが悪くなることがない。
【発明を実施するための最良の形態】
【００１３】
以下に、図１〜図８により、本発明による排水用ドレインの保持装置についての最良の実施形態を説明する。
（第１実施形態）
図１〜図４は、本発明による排水用ドレインの保持装置の第１実施形態を示しており、この保持装置により所定位置に保持される排水用ドレイン１０は、建築物の屋上やバルコニー等でコンクリートよりなる床に埋設固定されるものであり、床に降った雨水等を受皿部１１にて受けて下方に排水する縦引き排水用ドレインである。以下の説明では、排水用ドレイン１０をコンクリートを形成するための型枠のうち底部で略水平に設置した床型枠Ｆに仮固定装置２０により仮固定し、仮固定した排水用ドレイン１０が所定位置から動かないように保持装置３０により保持した状態により説明する。
【００１４】
図１及び図２に示すように、排水用ドレイン１０は、コンクリートよりなる床から雨水等の水が流入する略矩形状の受皿部１１と、この受皿部１１から下側に連成する筒部１２とを備えている。受皿部１１には、長手方向の一方側に偏った位置に雨水等を排水する排水口１１ａが設けられている。筒部１２は、排水口１１ａが設けられた位置の受皿部１１の下側に連成しており、受皿部１１に流入した雨水等は、排水口１１ａから筒部１２を通って排出されるものである。
【００１５】
図１に示すように、仮固定装置２０は、排水用ドレイン１０を所定の位置でコンクリートに埋設するときに同コンクリートが固化するまで排水用ドレイン１０を床型枠Ｆに一時的に固定（仮固定）するものである。図１に示すように、仮固定装置２０は、排水用ドレイン１０を床型枠Ｆの略水平方向の所定位置に位置決めするための円形の位置決め座板２１と、コンクリートを打設後に排水用ドレイン１０の下方に貫通穴を形成するとともに排水用ドレイン１０を所定の高さ位置に位置決めする筒状のスペーサ２２とを備えている。図１に示すように、位置決め座板２１は、床型枠Ｆの水平方向の所定位置に釘により固定されている。スペーサ２２の下端は、位置決め座板２１の外周に嵌合されており、スペーサ２２の上端は、排水用ドレイン１０の受皿部１１の下面で筒部１２の外側に設けられた環状突部１１ｂの内周面に嵌合している。スペーサ２２内には、排水用ドレイン１０の筒部１２が挿入されている。図１に示すように、位置決め座板２１の中心部には、スペーサ２２内及び筒部１２内を通って垂直に延びる長いボルト２３が取り付けられており、このボルト２３の先端には、排水用ドレイン１０の受皿部１１の上縁部近傍と当接する抑え板２４が設けられている。この抑え板２４は、ボルト２３の先端のナット２５を締め付けることにより排水用ドレイン１０をスペーサ２２に押圧して床型枠Ｆに仮固定する。なお、この仮固定をするときには、略矩形の排水用ドレイン１０の長手方向を床に形成された排水溝（図示しない）と平行となるように、排水用ドレイン１０を所定の向きにして仮固定する。なお、本実施形態では、排水用ドレイン１０の上側は、コンクリート打設時に汚れないようにするための保護カバー１３に覆われている。
【００１６】
保持装置３０は、コンクリートを打設をするときに仮固定装置２０により仮固定された排水用ドレイン１０を所定位置に保持するためのものである。なお、本発明による排水用ドレイン１０を所定位置に保持するとは、排水用ドレイン１０の高さが一端側から他端側に傾いたり、排水用ドレイン１０がスペーサ２２を中心に回転することのないように所定位置に保持することである。図１及び図３に示すように、保持装置３０は、排水用ドレイン１０の受皿部１１の下面に設けられた雌ねじに螺着されるねじ部材３１と、このねじ部材３１の下端と螺合することで高さ調整可能に取り付けられて床型枠Ｆと当接する保持部材３２とを備えている。図１及び図３に示すように、ねじ部材３１は、保持部材３２と螺合したときに保持部材３２の下端が床型枠Ｆに当接する長さとなっている。図１及び図３に示すように、保持部材３２は、略円錐台形状をしており、コンクリートが固化したときに剥離可能な樹脂部材よりなる。保持部材３２の上端には、ねじ部材３１の下端が螺合する雌ねじ３２ａが形成されている。保持部材３２の下端面には、床型枠Ｆの所定位置に設けられた貫通穴（穴部）Ｆａと係合可能な棒状突起部（突起部）３３が設けられている。なお、この棒状突起部３３は、長手方向の一部に同長手方向と直交する断面形状を正六角形となるように形成されており、この部分をレンチ等の工具により回転させることが可能となっている。この保持部材３２は、コンクリートを打設するときに型枠とセパレータとの間に取り付けられるＰコンや木コンを用いることで容易に入手することができる。本実施形態においては、保持装置３０は、排水用ドレイン１０の受皿部１１の長手方向で筒部１２のある側と反対側の端部で、長手方向と直交する方向の両端の２箇所に取り付けられているが、本発明はこれに限られるものでなく、受皿部１１の長手方向で筒部１２のある側の反対側の端部の適宜な部位に１箇所以上取り付けたものでよい。
【００１７】
このように仮固定装置２０により床型枠Ｆに仮固定した排水用ドレイン１０を保持装置３０により所定位置から動かないように保持した状態で型枠内にコンクリートを打設したときには、保持部材３２が床型枠Ｆに当接することで、排水用ドレイン１０は所定の高さ位置に保持されるばかりでなく、棒状突起部３３が床型枠Ｆに設けた貫通穴Ｆａに係合することで水平方向に回転移動しないよう所定の位置に保持されるので、排水用ドレイン１０を床型枠Ｆ上で上下方向のみでなく水平方向の回転方向にも正確に保持された上でコンクリートに埋設固定することができる。これにより、排水用ドレイン１０の長手方向を床に形成された排水溝（図示しない）と平行となるよう埋設するときには、排水用ドレイン１０は排水溝と平行となる向きに正確に保持されて埋設されるようになる。特に、コンクリートを打設するときに気泡を抜くためのバイブレータにより振動を付与するときには、排水用ドレイン１０が振動でスペーサ２２上を水平方向に回転することを防止することができる。
【００１８】
排水用ドレイン１０をコンクリートに埋設固定した後で、床型枠Ｆを含む型枠を解枠するときには、ボルト２３からナット２５及び抑え板２４を取り外した状態にして型枠を取り外す。型枠を取り外した後のコンクリートの表面には、保持装置３０の保持部材３２の下端が露出するが、保持部材３２はコンクリートが固化したときに剥離可能であるので、棒状突起部３３をレンチ等の工具により回転させることでねじ部材３１に螺合している保持部材３２をコンクリート内から取り出すことができる。このとき、保持部材３２はコンクリートが固化したときに剥離可能な樹脂部材であるので、保持部材３２を容易に取り外すことができる。保持部材３２を取り外した後のコンクリートの表面には、保持部材３２を取り外した後に生じる凹部Ｃａが形成されているが、この凹部Ｃａをモルタルにより埋めることでコンクリートの表面を面一とすることができる。特に、この凹部Ｃａにモルタルを埋める作業は、コンクリートの解枠後にＰコン穴の穴埋め作業とともに行うことが可能であり、特別な作業を要することがない。
【００１９】
保持部材３２は排水用ドレイン１０側に細くなるように略円錐台形状をしているので、棒状突起部３３をレンチ等で回転させて保持部材３２を固化したコンクリートから剥離させたあとには、コンクリート内から容易に取り出すことができるようになる。また、コンクリート内に残るねじ部材３１は、コンクリート打設後にコンクリート内で排水用ドレイン１０を固定するアンカーとして機能する。
【００２０】
（第２実施形態）
図５〜図８は、本発明による排水用ドレインの保持装置の第２実施形態を示しており、この保持装置により所定位置に保持される排水用ドレイン１０Ａは、建築物の屋上やバルコニー等でコンクリートよりなる床とそれから上方に延びる側壁との間の角部に埋設固定されるものであり、床に降った雨水等を受皿部１１Ａにて受けて後方に排水する横引き排水用ドレインである。以下の説明では、排水用ドレイン１０Ａをコンクリートを形成するための型枠のうち略垂直に立設した側壁型枠Ｇに仮固定装置２０Ａにより仮固定し、仮固定した排水用ドレイン１０Ａが所定位置から動かないように保持装置３０Ａにより保持した状態により説明する。
【００２１】
図５〜図７に示すように、排水用ドレイン１０Ａは、床に埋設される水平部１１Ａｃとこの水平部１１Ａｃの後端から垂直に立設して側壁に埋設される垂直部１１Ａｄとからなる受皿部１１Ａと、この受皿部１１Ａの垂直部１１Ａｄから後方に連成する筒部１２Ａとを備えている。受皿部１１Ａの垂直部１１Ａｄには、雨水等を排水する排水口１１Ａａが設けられている。筒部１２Ａは、排水口１１Ａａが設けられた位置の後側に連成しており、受皿部１１Ａの水平部１１Ａｃに流入した雨水等は、排水口１１Ａａから筒部１２Ａを通って排出されるものである。
【００２２】
図５に示すように、仮固定装置２０Ａ、排水用ドレイン１０Ａを所定の位置でコンクリートに埋設するときに同コンクリートが固化するまで排水用ドレイン１０Ａを側壁型枠Ｇに一時的に固定（仮固定）するものである。仮固定装置２０は、排水用ドレイン１０を側壁型枠Ｇの所定位置に位置決めするための円形の位置決め座板２１Ａと、排水用ドレイン１０Ａの後方に貫通穴を設けるるとともに側壁型枠Ｇに所定距離をおいて位置決めするための筒状のスペーサ２２Ａとを備えている。位置決め座板２１Ａは、側壁型枠Ｇの水平方向及び高さ方向の所定位置に釘により固定されている。スペーサ２２Ａの一方側の端部は、位置決め座板２１Ａの外周に嵌合されており、スペーサ２２の他方側の端部は、排水用ドレイン１０の筒部１２Ａの外周面に嵌合している。スペーサ２２Ａ内には、排水用ドレイン１０Ａの筒部１２Ａが挿入されている。位置決め座板２１Ａの中心部には、スペーサ２２Ａ及び筒部１２Ａを通って排水用ドレイン１０Ａ側に延びる長いボルト２３Ａが取り付けられており、このボルト２３Ａの先端には、排水用ドレイン１０Ａの受皿部１１Ａの垂直部１１Ａｄの前端部近傍と当接する抑え板２４Ａが設けられている。この抑え板２４Ａは、ボルト２３Ａの先端のナット２５Ａを締め付けることにより排水用ドレイン１０Ａをスペーサ２２Ａに押圧して側壁型枠Ｇに仮固定する。なお、仮固定に際しては、排水用ドレイン１０Ａは、その水平部１１Ａｃが前後方向及び横方向に水平となるように仮固定されている。
【００２３】
保持装置３０Ａは、コンクリートを打設するときに仮固定装置２０Ａにより仮固定された排水用ドレイン１０Ａを所定位置に保持するためのものである。なお、本発明による排水用ドレイン１０Ａを所定位置に保持するとは、排水用ドレイン１０Ａの水平部１１Ａｃを前後方向及び横方向に水平となるように保持することである。保持装置３０Ａは、排水用ドレイン１０Ａの受皿部１１Ａの下面に設けられた雌ねじに螺着されるねじ部材３１Ａと、このねじ部材３１Ａの下端と螺合することで高さ調整可能に取り付けられて床型枠Ｆと当接する保持部材３２Ａとを備えている。ねじ部材３１Ａは、保持部材３２Ａと螺合したときに保持部材３２Ａの下端が当接する長さとなっている。保持部材３２Ａは、略円錐台形状をしており、コンクリートが固化したときに剥離可能な樹脂部材よりなる。保持部材３２Ａの上端には、ねじ部材３１Ａの下端が螺合する雌ねじ３２Ａａが形成されている。保持部材３２Ａの下端面には、床型枠Ｆの所定位置に設けられた貫通穴（穴部）Ｆａと係合可能な棒状突起部（突起部）３３Ａが設けられている。この保持部材３２Ａは、コンクリートを打設するときに型枠とセパレータとの間に取り付けられるＰコンや木コンを用いることで容易に入手することができる。図７に示すように、本実施形態においては、保持装置３０Ａは、排水用ドレイン１０Ａの受皿部１１Ａの水平部１１Ａｃの前部で横方向の両端の２箇所に取り付けられているが、本発明はこれに限られるものでなく、水平部の１１Ａｃの前端部の中心部に１箇所以上取り付けたものでよい。
【００２４】
このように仮固定装置２０Ａにより側壁型枠Ｇに仮固定した排水用ドレイン１０Ａを保持装置３０Ａにより所定位置から動かないように保持した状態で型枠内にコンクリートを打設したときには、保持部材３２Ａが床型枠Ｆに当接することで、排水用ドレイン１０Ａはその水平部１１Ａｃを前後方向及び横方向に水平となるように所定の高さ位置に正確に保持された上でコンクリートに埋設固定することができる。
【００２５】
排水用ドレイン１０Ａをコンクリートに埋設固定した後で、床型枠Ｆ及び側壁型枠Ｇを含む型枠を解枠するときには、ボルト２３Ａからナット２５Ａ及び抑え板２４Ａを取り外した状態にして型枠を取り外す。型枠を取り外した後のコンクリートの表面には、保持装置３０Ａの保持部材３２Ａの下端が露出するが、保持部材３２Ａはコンクリートが固化したときに剥離可能であるので、棒状突起部３３Ａをレンチ等の工具により回転させることでねじ部材３１Ａに螺合している保持部材３２Ａをコンクリート内から取り出すことができる。図８に示すように、保持部材３２を取り外した後のコンクリートの表面には、保持部材３２Ａを取り外した後に生じる凹部Ｃａが形成されているが、この凹部Ｃａをモルタルにより埋めることでコンクリートの表面を面一とすることができる。特に、この凹部Ｃａにモルタルを埋める作業は、コンクリートの解枠後にＰコン穴の穴埋め作業とともに行うことが可能であり、特別な作業を要することがない。
【００２６】
保持部材３２Ａは排水用ドレイン１０Ａ側に細くなるように略円錐台形状をしているので、棒状突起部３３Ａをレンチ等で回転させて保持部材３２Ａを固化したコンクリートから剥離させたあとには、コンクリート内から容易に取り出すことができるようになる。また、コンクリート内に残るねじ部材３１Ａは、コンクリート打設後にコンクリート内で排水用ドレイン１０Ａを固定するアンカーとして機能する。
【００２７】
上記の実施形態においては、棒状突起部３３，３３Ａを床型枠Ｆの貫通穴Ｆａに係合させているが、棒状突起部（突起部）３３，３３Ａの外周に雄ねじを形成して、この雄ねじに座金付きナットを螺合させて保持部材３２、３２Ａを床型枠Ｆに着脱可能に固定してもよく、このようにしたときには、強い振動を与えても保持部材３２，３２Ａが外れたりすることがない。
【図面の簡単な説明】
【００２８】
【図１】本発明による保持装置により縦引き排水用ドレインが保持された状態を示す一部破断側断面図である。
【図２】保持装置により縦引き排水用ドレインが保持された状態の平面図である。
【図３】保持装置により縦引き排水用ドレインが保持された状態の正面図である。
【図４】コンクリートを打設して解枠した後の縦引き排水用ドレインが埋設固定された状態を示す一部破断側断面図である。
【図５】本発明による保持装置により横引き排水用ドレインが保持された状態を示す一部破断側断面図である。
【図６】保持装置により横引き排水用ドレインが保持された状態の平面図である。
【図７】保持装置により横引き排水用ドレインが保持された状態の正面図である。
【図８】コンクリートを打設して解枠した後の横引き排水用ドレインが埋設固定された状態を示す一部破断側断面図である。
【符号の説明】
【００２９】
１０，１０Ａ…排水用ドレイン、１１，１１Ａ…受皿部、１１ａ，１１Ａａ…排水口、１１Ａｃ…水平部、１１Ａｄ…垂直部、３０，３０Ａ…保持装置、３１，３１Ａ…ねじ部材、３２，３２Ａ…保持部材、３３，３３Ａ…突起部（棒状突起部）、Ｆ…床型枠、Ｇ…側壁型枠。
【図１】
2009235727.tif 000003
【図２】
2009235727.tif 000004
【図３】
2009235727.tif 000005
【図４】
2009235727.tif 000006
【図５】
2009235727.tif 000007
【図６】
2009235727.tif 000008
【図７】
2009235727.tif 000009
【図８】
2009235727.tif 000010